(57)【要約】【課題】放送番組制作にかかる番組構成操作の煩雑さを解消する。【解決手段】番組放送システム１は、取材で収集した放送用素材、ネットワーク、ビデオテープ、ＣＤ（Compact Disc）、ＤＶＤ（Digital Versatile Disc）等をはじめとする提供媒体から受け取った放送用素材を素材サーバ３１に格納する際に放送用素材の連動を設定する。これにより、番組構成作成端末２３において番組に使用する映像素材が選択されたとき、連動させる音声素材が指定されている場合には、この映像素材に連動する音声素材を自動的に抽出する。また、映像素材が削除されたときに、この映像素材に連動する音声素材を自動的に削除する。【選択図】図１
2006229870.tif 000002
【特許請求の範囲】
【請求項１】
映像、音声、コンピュータグラフィックス、文字データを含む放送用素材を用いて番組を編集し構成する処理を実行する放送番組構成装置において、
上記放送用素材を格納する格納手段と、
上記放送用素材を上記格納手段に格納する際に上記放送用素材に関連する関連素材を指定する制御データが入力される及び上記放送用素材を使用して番組を編集する操作入力がされる入力手段と、
上記入力手段での操作入力にしたがって選択された放送用素材を上記格納手段から抽出するとともに該選択された放送用素材を出力する放送機器を割り当てる処理を行う番組構成制御手段とを有し、
上記番組構成制御手段は、上記入力手段において選択された放送用素材に制御データで関連素材が指定されている場合には指定された関連素材を上記格納手段から抽出して該関連素材を出力する放送機器を割り当てる処理を行うことを特徴とする放送番組構成装置。
【請求項２】
上記制御データは、映像素材に関連する音声素材を指定するデータであることを特徴とする請求項１記載の放送番組構成装置。
【請求項３】
上記入力手段において映像素材が選択されたとき、上記番組構成制御手段は、上記入力手段での操作入力にしたがって選択された映像素材を上記格納手段から抽出するとともに該選択された映像素材を出力する放送機器を割当て、上記番組構成制御手段は、上記入力手段において選択された映像素材に関連する音声素材を上記格納手段から抽出するとともに該音声素材を出力する放送機器を割り当てる処理を行うことを特徴とする請求項２記載の放送番組構成装置。
【請求項４】
上記番組構成制御手段は、上記入力手段において選択された放送用素材に制御データで関連素材が指定されている場合には指定された関連素材を上記格納手段から抽出するとともに上記選択された放送用素材に割り当てられた放送機器と同一の放送機器に上記関連素材を割り当てる処理を行うことを特徴とする請求項３記載の放送番組構成装置。
【請求項５】
上記番組構成制御手段は、上記入力手段において選択された放送用素材に制御データで関連素材が指定されていない場合には制御データで指定されていない放送用素材を上記格納手段から抽出するとともに該未指定の放送用素材を出力する放送機器を割り当てる処理を行うことを特徴とする請求項１記載の放送番組構成装置。
【請求項６】
上記入力手段において映像素材が削除されたとき、上記番組構成制御手段は、上記入力手段での操作入力にしたがって選択された放送用素材に対する放送機器の割当てと該放送用素材に関連する関連素材に対する放送機器の割当てを取り消すことを特徴とする請求項１記載の放送番組構成装置。
【請求項７】
映像、音声、コンピュータグラフィクス、文字データを含む放送用素材を用いて番組を編集し構成する処理を実行する番組放送システムにおいて、
上記放送用素材を格納する格納手段を備える放送用素材蓄積装置と、
上記放送用素材を格納する際に上記放送用素材に関連する関連素材を指定する制御データが入力される及び上記放送用素材を使用して番組を編集する操作入力がされる入力手段を備える編集処理端末と、
上記編集処理端末からの操作入力にしたがって選択された放送用素材を上記格納手段から抽出するとともに該選択された放送用素材を出力する放送機器を割り当てる処理を行う編集管理装置とを有し、
上記編集管理装置は、上記編集処理端末で選択された放送用素材に制御データで関連素材が指定されている場合には指定された関連素材を上記格納手段から抽出して該関連素材を出力する放送機器を割り当てる処理を行うことを特徴とする番組放送システム。
【請求項８】
上記制御データは、映像素材に関連する音声素材を指定するデータであることを特徴とする請求項７記載の番組放送システム。
【請求項９】
上記編集処理端末において映像素材が選択されたとき、上記編集管理装置は、上記編集処理端末での操作入力にしたがって選択された映像素材を上記格納手段から抽出するとともに該選択された映像素材を出力する放送機器を割当て、上記編集管理装置は、上記編集処理端末において選択された映像素材に関連する音声素材を上記格納手段から抽出して該音声素材を出力する放送機器を割り当てる処理を行うことを特徴とする請求項８記載の番組放送システム。
【請求項１０】
上記編集管理装置は、上記編集処理端末において選択された放送用素材に制御データで関連素材が指定されている場合には指定された関連素材を上記格納手段から抽出するとともに上記選択された放送用素材に割り当てられた放送機器と同一の放送機器に上記関連素材を割り当てる処理を行うことを特徴とする請求項９記載の番組放送システム。
【請求項１１】
上記編集管理装置は、上記編集処理端末において選択された放送用素材に制御データで関連素材が指定されていない場合には制御データで指定されていない放送用素材を上記格納手段から抽出するとともに該未指定の放送用素材を出力する放送機器を割り当てる処理を行うことを特徴とする請求項７記載の番組放送システム。
【請求項１２】
上記編集処理端末において映像素材が削除されたとき、上記編集管理装置は、上記編集処理端末での操作入力にしたがって選択された放送用素材に対する放送機器の割当てと該放送用素材に関連する関連素材に対する放送機器の割当てを取り消すことを特徴とする請求項７記載の番組放送システム。
【請求項１３】
映像、音声、コンピュータグラフィックス、文字データを含む放送用素材を用いて番組を編集する放送番組構成方法において、
上記放送用素材に関連する関連素材を指定する制御データが入力される入力工程と、
上記制御データ入力工程において入力された制御データとともに上記放送用素材をメモリに格納する蓄積工程と、
上記放送用素材を使用して番組を編集する操作入力がされる編集工程と、
上記編集工程で操作入力にしたがって選択された放送用素材を上記メモリから抽出するとともに該選択された放送用素材を出力する放送機器を割り当てる処理を行う編集制御工程とを有し、
上記編集制御工程では、上記編集工程で選択された放送用素材に制御データで関連素材が指定されている場合には指定された関連素材を上記メモリから抽出して該関連素材を出力する放送機器を割り当てることを特徴とする放送番組構成方法。
【請求項１４】
上記制御データは、映像素材に関連する音声素材を指定するデータであることを特徴とする請求項１３記載の放送番組構成方法。
【請求項１５】
上記編集工程において映像素材が選択されたとき、上記編集制御工程は、上記操作入力にしたがって選択された映像素材を上記メモリから抽出するとともに該選択された映像素材を出力する放送機器を割当て、上記編集制御工程は、上記編集工程において選択された映像素材に関連する音声素材を上記メモリから抽出するとともに該音声素材を出力する放送機器を割り当てる処理を行うことを特徴とする請求項１４記載の放送番組構成方法。
【請求項１６】
上記編集制御工程は、上記編集工程で選択された放送用素材に制御データで関連素材が指定されている場合には指定された関連素材を上記メモリから抽出するとともに上記選択された放送用素材に割り当てられた放送機器と同一の放送機器に上記関連素材を割り当てる処理を行うことを特徴とする請求項１５記載の放送番組構成方法。
【請求項１７】
上記編集制御工程は、上記編集工程において選択された放送用素材に制御データで関連素材が指定されていない場合には制御データで指定されていない放送用素材を上記メモリから抽出するとともに該未指定の放送用素材を出力する放送機器を割り当てる処理を行うことを特徴とする請求項１３記載の放送番組構成方法。
【請求項１８】
上記編集工程で映像素材が削除されたとき、上記編集制御工程は、上記操作入力にしたがって選択された放送用素材に対する放送機器の割当てと該放送用素材に関連する関連素材に対する放送機器の割当てを取り消すことを特徴とする請求項１３記載の放送番組構成方法。
【発明の詳細な説明】
【技術分野】
【０００１】
本発明は、映像、音声、コンピュータグラフィックス、文字データを含む各種放送用素材から番組を構成する番組構成処理を行う放送番組構成装置、番組放送システム及び放送番組構成方法に関する。
【背景技術】
【０００２】
放送局では、取材によって集められた音声素材や映像素材は、一般的にＶＴＲテープとして、或いはサーバ等に格納される。これらの音声素材及び映像素材は、番組の編成に使用される。映像素材と音声素材とは、通常同時に再生される場面が多いが、音声素材のみ、又は映像素材のみで使用されることもある。特に、ニュース番組の報道番組では、映像素材を放送している間にキャスターの解説が入る、というように映像素材と音声素材とが切り離されて用いられることが多い。
【０００３】
このような番組構成作業は、いわゆるノンリニア編集装置、端末操作等の導入により高速化され複雑な編集も比較的容易にできるようになった。例えば、特許文献１には、番組構成表の作成、及び作成された番組構成表に基づく番組送出に関する技術が開示されている。
【０００４】
【特許文献１】特開平１０−２７６１５５号公報
【特許文献２】特許３４６７９９９号公報
【発明の開示】
【発明が解決しようとする課題】
【０００５】
ところが、例えば、特許文献１、特許文献２等に記載された技術では、番組構成表を端末操作によって効率的に行えるようにしているが、映像素材と音声素材の選択、映像素材の出力機器と音声素材の出力機器の設定等は、やはり素材毎に逐一行わなければならない。このように、従来のノンリニア編集装置の中には、映像と音声とが連動した素材を同一放送機器から出力する場合であっても、番組の編集構成段階において映像素材の出力機器と音声素材の出力機器の設定を素材毎に逐一行わなければならないものがあった。
【０００６】
これは、編集操作を複雑にし、番組制作のための操作ステップを増加させるため、記者、編集者に多大な負担をかけていた。また、編集操作及び手順が複雑化すると、番組中に緊急ニュースを挿入することになったときなどに、即座に番組の構成を作り直すことが難しかった。
【０００７】
そこで本発明は、放送用素材に関連する関連素材を自動的に選択することにより、番組制作にかかる番組構成操作の煩雑さを解消することができる放送番組構成装置、番組放送システム及び放送番組構成方法を提供することを目的とする。
【課題を解決するための手段】
【０００８】
上述した目的を達成するために、本発明に係る放送番組構成装置は、映像、音声、コンピュータグラフィック、文字データを含む放送用素材を用いて番組を編集し構成する処理を実行するものであり、放送用素材を格納する格納手段と、放送用素材を格納手段に格納する際に放送用素材に関連する関連素材を指定する制御データが入力される及び放送用素材を使用して番組を編集する操作入力がされる入力手段と、入力手段での操作入力にしたがって選択された放送用素材を格納手段から抽出するとともに該選択された放送用素材を出力する放送機器を割り当てる処理を行う番組構成制御手段とを有し、番組構成制御手段は、入力手段において選択された放送用素材に制御データで関連素材が指定されている場合には指定された関連素材を格納手段から抽出して該関連素材を出力する放送機器を割り当てる処理を行うことを特徴とする。ここで、制御データは、映像素材に関連する音声素材を指定するデータである。
【０００９】
また、入力手段において映像素材が選択されたとき、番組構成制御手段は、入力手段での操作入力にしたがって選択された映像素材を格納手段から抽出するとともに該選択された映像素材を出力する放送機器を割当て、番組構成制御手段は、入力手段において選択された映像素材に関連する音声素材を上記格納手段から抽出するとともに該音声素材を出力する放送機器を割り当てる処理を行う。番組構成制御手段は、上記選択された放送用素材に割り当てられた放送機器と同一の放送機器に関連素材を割り当てる。
【００１０】
一方、番組構成制御手段は、入力手段において選択された放送用素材に制御データで関連素材が指定されていない場合には、制御データで指定されていない放送用素材を格納手段から抽出するとともに該未指定の放送用素材を出力する放送機器を割り当てる処理を行う。また、番組構成制御手段は、入力手段において映像素材が削除されたとき、入力手段での操作入力にしたがって選択された放送用素材に対する放送機器の割当てと該放送用素材に関連する関連素材に対する放送機器の割当てを取り消す。
【００１１】
上述した目的を達成するために、本発明に係る放送用番組編成用システムは、映像、音声、コンピュータグラフィクス、文字データを含む放送用素材を用いて番組を編集し構成する処理を実行する番組放送システムにおいて、放送用素材を格納する格納手段を備える放送用素材蓄積装置と、放送用素材を格納する際に放送用素材に関連する関連素材を指定する制御データが入力される及び放送用素材を使用して番組を編集する操作入力がされる入力手段を備える編集処理端末と、編集処理端末からの操作入力にしたがって選択された放送用素材を格納手段から抽出するとともに該選択された放送用素材を出力する放送機器を割り当てる処理を行う編集管理装置とを有し、編集管理装置は、編集処理端末で選択された放送用素材に制御データで関連素材が指定されている場合には指定された関連素材を格納手段から抽出して該関連素材を出力する放送機器を割り当てる処理を行うことを特徴とする。
【００１２】
また、本発明に係る放送番組構成方法は、映像、音声、コンピュータグラフィックス、文字データを含む放送用素材を用いて番組を編集する方法であって、放送用素材に関連する関連素材を指定する制御データが入力される入力工程と、制御データ入力工程において入力された制御データとともに放送用素材をメモリに格納する蓄積工程と、放送用素材を使用して番組を編集する操作入力がされる編集工程と、編集工程で操作入力にしたがって選択された放送用素材をメモリから抽出するとともに該選択された放送用素材を出力する放送機器を割り当てる処理を行う編集制御工程とを有し、編集制御工程では、編集工程で選択された放送用素材に制御データで関連素材が指定されている場合には指定された関連素材をメモリから抽出して該関連素材を出力する放送機器を割り当てる。
【発明の効果】
【００１３】
本発明に係る放送番組構成装置、番組放送システム及び放送番組構成方法によれば、選択した放送用素材に関連づけられた関連素材を自動的に抽出して提示でき、編集処理における操作回数を減少させることができる。したがって、番組制作にかかる編集操作の煩雑さが解消され、緊急時の番組編集にも対応することができる。
【発明を実施するための最良の形態】
【００１４】
本発明に係る番組放送システムは、例えば放送局等の番組編集部門に適用されるシステムであり、映像、音声、コンピュータグラフィックス、文字データを含む放送用素材を編成・構成に基づいて編集する処理を実行するものである。
【００１５】
以下、本発明の具体例について図面を参照して詳細に説明する。本具体例では、この番組放送システム１が、特にニュース番組の編成・構成に用いられる場合について説明する。番組放送システム１は、図１に示すように、番組構成者、編集者、記者等から編集操作、各種設定入力、指示入力等が行われる入力グループ２と、素材からいわゆるノンリニア編集により番組を制作する番組制作グループ３とを有する。完成された番組は送出部４から送出される。入力グループ２は、情報処理端末で構成されており、支社又は支局５とも接続され、支社又は支局５からも編集操作が可能になっている。
【００１６】
入力グループ２は、取材を管理する取材管理端末２１と、記者らが原稿作成するための原稿作成端末２２と、番組構成表の作成が行われる番組構成作成端末２３と、番組編成表の入力が行われる番組編成入力端末２４とを含み、これらの端末がローカルネットワークで接続されたシステムである。
【００１７】
取材管理端末２１は、放送項目の決定、中継車、取材機材、取材班の割り振り等、取材全般の詳細事項を管理している。原稿作成端末２２は、記者や編集者によって原稿作成が行われる端末である。
【００１８】
番組構成作成端末２３は、番組構成表を作成するための操作入力がされる端末であり、番組編成入力端末２４は、番組編成表を入力するための操作入力がされる端末である。番組構成表とは、どの素材をどの機器から出力するか、カメラ切換、音声出力切換等を番組の進行に合わせて示したものであり番組毎に用意されている。番組進行は、緊急報道、速報等を除いて番組構成表に沿って行われる。番組編成表とは、どの番組をいつ放送するかというテーブルであり、数週間先、数ヶ月先までの詳細が決定される。
【００１９】
また、番組構成作成端末２３は、番組構成を作成するＧＵＩ上で選択された放送用素材を出力する放送機器を割り当てる、すなわち放送機器の配分を指示する処理もまた同時に行うことができるようになっている。
【００２０】
なお、図示しないが、このほかにも入力グループ２には、ＣＧ（Computer Graphics；コンピュータグラフィク）により映像を作成する、或いは映像に重ねて表示する地図、天気図、文字等を作成するＣＧ作成端末、文字放送用の文字を作成するクローズドキャプション端末等がある。
【００２１】
入力グループ２を構成する情報処理端末としては、例えば、一般的なパーソナルコンピュータを適用できる。取材管理端末２１、原稿作成端末２２、番組構成作成端末２３、番組編成入力端末２４として使用できる情報処理端末の例を図２に示す。
【００２２】
情報処理端末２００は、図２に示すように、原稿作成端末２２であれば原稿作成のためのプログラムが、番組構成作成端末２３であれば番組構成作成のためのプログラムが、番組編成入力端末２４であれば番組編成のためのプログラム、ソフトウェア等を格納するストレージデバイスとしてのハードディスクドライブ（ＨＤＤ：Hard Disk Drive）２０１と、ＲＯＭ２０２、プログラムに基づいて原稿作成、番組構成作成、番組編成入力等の処理を実行するＣＰＵ２０３、ＣＰＵの作業領域としてのＲＡＭ２０４、ＲＡＭ２０４への書込及び読出を制御するメモリコントローラ２０５、オリジナルネットワーク或いはインターネット等に接続するためのネットワークインターフェイス（以下、ネットワークＩ／Ｆと記す。）２０６とを備え、これらが内部バス２０７で接続されている。
【００２３】
また、情報処理端末２００は、番組構成者、編集者、記者等といったユーザから編集操作、各種設定入力、指示入力等を受け付けるキーボード２０８、マウス２０９が接続されている。キーボード２０８、マウス２０９は、入力デバイスインターフェイス２１０を介して内部バス２０７に接続されている。また、情報処理端末２００は、表示デバイスドライバ２１１を介して表示デバイスとして液晶表示部（ＬＣＤ：Liquid Crystal Display）２１２を備えている。
【００２４】
番組放送システム１における番組制作グループ３は、映像、音声、コンピュータグラフィックス、文字データを含む放送用素材を格納する素材サーバ３１と、素材を編集するノンリニア編集装置３２と、完成した番組を格納するプレイアウトサーバ３３１，３３２と入力グループ２と接続されて各放送用素材と完成した番組とを管理する管理サーバ３４と、番組編成表及び番組構成表に基づいて番組を構成するオンエア制御装置３５を備え、これらが互いにネットワークで接続されてシステムを構成している。
【００２５】
素材サーバ３１は、ＨＤＤ（Hard Disk Drive）等の大容量記録媒体を備えており、映像、音声、コンピュータグラフィックス、文字データ等の放送用素材を格納することができる。また、録画録音機器に接続可能とされ取材によって収集された映像素材及び音声素材等を入力できるようになっているほか、ネットワーク、ビデオテープ、ＣＤ（Compact Disc）、ＤＶＤ（Digital Versatile Disc）等をはじめとする提供媒体から放送用素材を受け取ることができる。また、素材サーバ３１は、放送用素材を格納する際に、放送用素材に関連する関連素材を指定する制御データを入力する設定を行うためのユーザインターフェイスを備えている。この制御データの入力操作は、上述のように、管理サーバ３４を介して接続される入力グループ２の原稿作成端末２２、番組構成作成端末２３、番組編成入力端末２４から行えるようになっていてもよい。また、放送用素材には、上述した映像データ、音声データのほか、垂直同期信号に含まれるデータ、システムを構成する各種装置を制御するための制御信号も含まれる。
【００２６】
オンエア制御装置３５は、原稿作成端末２２、番組構成作成端末２３、番組編成入力端末２４から行われた入力にしたがって、選択された放送用素材を素材サーバ３１から抽出するとともに選択された放送用素材を出力する放送機器を割り当ててオンエアする制御を行っている。また、どの素材をどの放送機器で出力するかといった機器配分も行っている。番組構成制御手段としてのオンエア制御装置３５は、番組構成作成端末２３、番組編成入力端末２４で選択された放送用素材に制御データで関連素材が指定されている場合には、指定された関連素材を素材サーバ３１から抽出して該関連素材を出力する放送機器を割り当てる処理を行う。この場合、制御データは、映像素材に関連する音声素材を指定するデータであり、例えば、音声素材のみの使用を許可するか、音声素材は映像素材とともに使用されるものかを指示するデータである。
【００２７】
本具体例では、特に、音声素材が関連づけられた映像素材を音声連動映像素材という。音声連動映像素材とは、映像と音声とが必ず同時に取得される機材で得られた映像素材であり、映画、ドラマ等のコンテンツ、ＶＴＲ等の素材がこれに該当する。
【００２８】
管理サーバ３４は、番組放送システム全体の情報を統括管理し、オンエア項目の管理、及びどの素材がどの段階の処理を受けているか等の素材管理を行っている。原稿作成端末２２、番組構成作成端末２３、番組編成入力端末２４等は、この管理サーバ３４に接続されており、管理サーバ３４を介して素材サーバ３１、ノンリニア編集装置３２、プレイアウトサーバ３３、オンエア制御装置３５等に接続されている。入力グループ２との間がインターネットで接続されている場合、管理サーバ３４はＷｅｂサーバとして機能する。
【００２９】
続いて、番組放送システム１の機能構成について図３を用いて説明する。番組放送システム１は、システムに共通の設定を行うシステム共通設定機能部３０１と、放送番組、特にニュース等の報道番組を制作するための報道支援機能部３０２と、制作された番組を送出するオンエア制御を行う送出支援機能部３０３とを有し、データベースインターフェイス３０４又はＷｅｂサーバ３０５を介してデータベース３０６と接続されている。
【００３０】
図３において報道支援機能部３０２は、図１に示す入力グループ２を構成する原稿作成端末２２、番組構成作成端末２３、番組編成入力端末２４で実行される処理に相当し、送出支援機能部３０３は、番組制作グループ３を構成するオンエア制御装置３５等で実行される処理に装用する。
【００３１】
システム共通設定機能部３０１は、システム設定部３１１、ユーザ設定部３１２、制御データ入力部３１３を有する。また、報道支援機能部３０２は、取材管理部３２１と、番組構成表入力部３２２と、編成構成表入力部３２３とを有する。番組構成表入力部３２２では番組構成表３２４に対して、また編成構成表入力部３２３では編成構成表３２５に対して必要な事項が入力される。
【００３２】
また、原稿作成部３２６は、取材管理部３２１で管理された放送項目等と、番組構成表入力部３２２によって入力された番組構成表に決められたタイミング、或いは編成構成表入力部３２３によって入力された編成構成表に決められた番組とを参照して原稿を作成する処理を行う。原稿作成部３２６で作成された原稿は、原稿管理部３２７に送られて番組構成表とともに管理されている。また、作成された原稿は、Ｗｅｂサーバ３０５を介してデータベース３０６に送られて格納される。送出支援機能部３０３は、番組構成表及び編成構成表に基づいてオンエアを制御している。送出支援機能部３０３は、放送原稿、映像、音声等、番組構成表において指定された放送用素材をデータベース３０６から抽出して指定された放送機器を通じて出力する処理を行う。
【００３３】
図１に示す番組放送システム１は、番組制作のための各機能を専用の機器に対応づけて明確に分類した場合の一例として説明しているが、番組放送システム全体として上述した図３を用いて説明した各機能が実現されていればよい。したがって、図３に示した番組制作の機能を１装置で実現してもよいし、図３に示した各機能をいくつかの機器に分業化させた構成とすることもできる。
【００３４】
図４には、制御データを入力するためのＧＵＩ画面の一例を示す。制御データの一例としては、本具体例では上述のように映像素材に関連する音声素材を指定するデータがあげられる。このＧＵＩ画面によって、例えば、音声素材のみの単独使用を許可するか、音声素材は映像素材に連動されるものか等を指示することができる。
【００３５】
図４は、取材で収集した放送用素材、ネットワーク、ビデオテープ、ＣＤ（Compact Disc）、ＤＶＤ（Digital Versatile Disc）等をはじめとする提供媒体から受け取った放送用素材を素材サーバ３１に格納する際に、番組構成者、編集者、記者らに提示されるＧＵＩ画面の一例を示している。図４に示すＧＵＩ画面４００には、連動を設定する項目として、音声素材を映像素材に必ず連動させて使用することを許可する設定をするチェックボックス４０１と、映像素材或いは音声素材のみ単独で使用することを許可する設定をするチェックボックス４０２とが表示されている。また、ＧＵＩ画面４００は、チェックボックス４０１、４０２の設定を素材サーバ３１へ放送用素材を入力するときの入力チャンネルに対して有効にする設定を行うためのチェックボックス４０３、４０４、４０５を有している。また、ＧＵＩ画面４００には、設定を有効にして登録するボタン４０６、キャンセルボタン４０７が設けられている。
【００３６】
例えば、チェックボックス４０１と、カメラを示すチェックボックス、すなわちチェックボックス４０４とがチェックされたときには、カメラから入力される映像素材は全て音声素材と連動して扱うという設定になる。この設定の制御データが関連づけされた映像素材が番組構成作成端末２３で選択されると、対応する音声素材が自動的に同時に選択される。また、このとき選択された映像素材を出力する放送機器と同一の放送機器から出力される設定も行われる。番組構成者、編集者、記者らは、放送用素材を素材サーバ３１に格納する際に、図４に示すＧＵＩ画面によって、映像素材に対する音声素材の関連を指定できる。
【００３７】
番組放送システム１は、映像、音声、コンピュータグラフィックス、文字データを含む放送用素材を素材サーバに格納するときに、番組構成者、編集者、記者らに対して図４に示した設定画面に基づいて制御データの入力を促すことにより、番組構成表を作成するときに映像素材に対応する音声素材を自動的に抽出することができる。
【００３８】
図５は、番組構成作成端末２３において、番組構成を作成するためのＧＵＩ画面の一例を示している。従来は、番組構成表示に基づいて番組構成を決定する際、映像素材と音声素材の選択操作が煩わしい点が問題であった。そこで番組放送システム１では、放送用素材の選択が効率的且つ即時的にできるようにした。
【００３９】
ＧＵＩ画面５００は、番組構成入力パレット５０１と、素材選択パレット５０２の２つの領域に大別することができる。番組構成入力パレット５０１は、１番組の項目に沿って項目で使用する構成が構成表示領域５０３、５０４、５０５に時系列に沿って列挙されている。“構成”とは、使用するカメラ、画面を合成するための素材の提供元を含めた、番組を組み立てる上で必要な個々の要素を表している。すなわち、構成表示領域は、番組構成表で指定された素材とそのソースとなる放送機材を設定する領域である。
【００４０】
例えば、構成表示領域５０３には、番組開始時刻２３：００：００から１０秒間に使用する素材とそのソースとが指定されており、使用される映像素材のサムネイル画像が映像素材表示領域５０３Ｖ１に、使用される音声素材の入力チャンネルが音声素材表示領域５０３Ａ１に表示されている。放送用素材及びそのソースが複数ある場合には、映像素材表示領域５０３Ｖ２、音声素材表示領域５０３Ａ２等に表示される。
【００４１】
また、構成表示領域５０４には、番組開始時刻２３：００：１０から２５秒間に使用する素材とそのソースとが指定され、構成表示領域５０５には、番組開始時刻２３：００：３５から２５秒間に使用する素材とそのソースとが指定されている。同様に、使用される映像素材のサムネイル画像が映像素材表示領域５０４Ｖ１、５０５Ｖ１に、使用される音声素材の入力チャンネルが音声素材表示領域５０４Ａ１、５０５Ａ１に表示されている。放送用素材及びそのソースが複数ある場合には、映像素材表示領域５０４Ｖ２、５０５Ｖ２、音声素材表示領域５０４Ａ２、５０５Ａ２等に表示される。
【００４２】
素材選択パレット５０２の詳細について図６を用いて説明する。素材選択パレット５０２は、領域の一部に表示される切換タグ５１１、５１２、５１３によって、同じ領域に映像素材の選択を行う選択画面と、音声素材の選択を行うための選択画面と、その他共通の設定を行う画面とが切り換えて表示できるようになっている。
【００４３】
図６は、素材選択パレット５０２において、切換タグの１つである映像タグ５１２が選択された場合の映像素材選択ＧＵＩ画面を示している。映像素材選択ＧＵＩ画面を以下映像パレット５１０という。映像パレット５１０は、図５に示す映像素材表示領域５０３Ｖ、５０４Ｖ、５０５Ｖ等に当てはめる映像素材及びソースを選択するための選択画面であって、映像素材選択領域５１４と、素材カテゴリ表示領域５１５と、選択されたカテゴリに含まれる映像素材のサムネイル画像をサンプルとして表示するサンプル画像表示領域５１６とを有する。
【００４４】
映像素材選択領域５１４には、サムネイル画像表示枠５１４１、５１４２、５１４３、・・・があり、番組構成作成端末２３を介して番組構成者、編集者、記者らが選択した映像素材のサムネイル画像が表示される。素材カテゴリ表示領域５１５には、映像素材の入力元（ソース）が列挙されており、例えば、ネットワーク、ビデオテープ、ＣＤ、ＤＶＤ等があげられている。サンプル画像表示領域５１６には、素材カテゴリ表示領域５１５に表示されたカテゴリの中から選択されたソースから取得された映像のサムネイル画像５１６１、５１６２、５１６３、５１６４、・・・が一覧表示される。
【００４５】
図６に示す例では、番組構成者、編集者、記者らによって、素材カテゴリ表示領域５１５に表示されたソースとしてビデオテープが選択され、更にサンプル画像表示領域５１６からストーリＡに関するサムネイル画像５１６３が選択されたため、サムネイル画像表示枠５１４１にサンプルとしてサムネイル画像５１６３が当てはめられている。図６に示す映像素材選択領域５１４は、映像素材の選択と、映像素材の映像データが送信される物理的な通信路の選択とを兼ねており、画面構成に応じた出力機材の配分が設定できるようになっている。
【００４６】
続いて、音声タグ５１３が選択された場合の音声素材選択ＧＵＩ画面について図７を用いて説明する。音声素材選択ＧＵＩ画面を以下音声パレット５２０という。音声パレット５２０は、選択する音声チャンネルを表した音声チャンネル設定枠５２１、５２２、５２３を有し、それぞれの音声素材に対して、例えばフェードイン、フェードアウト、レベル（音量）等を設定する設定ボックス群５２４、５２５、５２６が設けられている。音声チャンネルとは、音声素材の音声データが送信される物理的な通信路を表しており、映像素材に対応して選択される音声素材の出力機材の配分が設定できるようになっている。また、音声パレット５２０は、画像素材の選択ＧＵＩ画面と同様、音声素材の入力元（ソース）が列挙された素材カテゴリ表示領域５２７を備えている。サンプルサムネイル画像表示枠５２８には、映像素材表示領域５０３Ｖ、５０４Ｖ、５０５Ｖ等に当てはめた映像素材が表示されるようになっている。
【００４７】
番組放送システム１は、番組構成者、編集者、記者らによって選択された映像素材に連動する音声素材を映像素材と同一の出力機器の音声チャンネルに同時に且つ自動的に設定することを特徴としている。
【００４８】
番組放送システム１におけるオンエア制御装置３５は、番組構成作成端末２３に表示される番組構成のためのＧＵＩ画面５００を使用して番組構成者、編集者、記者らが作成した番組構成表の映像素材表示領域５０３Ｖ、５０４Ｖ、５０５Ｖ等に表示された映像素材に、制御データによって連動する音声素材が指定されている場合、指定された音声素材を素材サーバ３１から抽出し音声素材表示領域５０３Ａ１に自動的に当てはめる。
【００４９】
素材選択パレット５０２上では、番組構成者、編集者、記者らが映像パレット５１０を用いてストーリＡの映像素材のサムネイル画像を選択すると、音声パレット５２０が開かれたときには、選択された映像素材に連動する音声素材が音声チャンネル設定枠５２１、５２２、５２３の何れかに自動的に設定されている。制御データによって互いに関連づけされた映像素材と音声素材には、同一の放送機器が割り当てられる。番組で使用する映像素材と音声素材とを設定する処理については、後段図８及び図９を用いて説明する。
【００５０】
このとき、それぞれの音声素材に対する、フェードイン、フェードアウト、レベル（音量）等は、例えば、デフォルト値が与えられており、映像素材とともに音声素材が選択されたときデフォルト値が同時に入力されてもよい。
【００５１】
一方、オンエア制御装置３５は、番組構成表の映像素材表示領域５０３Ｖ、５０４Ｖ、５０５Ｖ等に当てはめられた映像素材に、連動する音声素材が指定されていない場合には、同じく連動が指定されていない音声素材を素材サーバ３１から抽出する。
【００５２】
番組放送システム１におけるオンエア制御装置３５が番組構成作成端末２３から作成された番組構成表に基づいて、使用する映像素材及び音声素材と使用する放送機器を設定する処理について図８を用いて説明する。この処理は、オンエア制御装置３５によって実行され、図３に示した機能構成では、オンエア制御を行う送出支援機能部３０３において実行される。
【００５３】
番組放送システム１では、ステップＳ１として、番組構成作成端末２３から番組構成表における映像パレット５１０の映像素材選択領域５１４に映像素材が当てはめられると、オンエア制御装置３５は、ステップＳ２として映像素材が音声連動映像素材であるか否かを判別する。
【００５４】
音声連動映像素材である場合には、ステップＳ３として音声パレット５２０の音声チャンネル１を示す音声チャンネル設定枠５２１に音声素材が当てはめられているか否かを判別する。音声パレット５２０の音声チャンネル１に音声素材が選択されていない場合、ステップＳ４として音声パレット５２０の音声チャンネル１にステップＳ１で設定された映像素材に連動する音声素材を自動的に抽出するとともに、この映像素材と同一のソースを選択する。
【００５５】
ステップＳ３において音声パレット５２０の音声チャンネル１に音声素材が設定されている場合、ステップＳ５として音声パレット５２０の音声チャンネル２に音声素材が当てはめられているか否かを判別する。音声パレット５２０の音声チャンネル２に音声素材が当てはめられていなければ、ステップＳ６として、音声パレット５２０の音声チャンネル２にステップＳ１で設定された映像素材に連動する音声素材を自動的に抽出するとともに、この映像素材と同一のソースを選択する。
【００５６】
音声パレット５２０の音声チャンネル１にも音声チャンネル２にも音声素材が設定されている場合には、映像素材が音声連動映像素材であっても音声素材を割り当てることなく処理を終了する。また、ステップＳ２において、映像素材が音声連動映像素材でない場合も音声素材を割り当てることなく処理を終了する。
【００５７】
また、番組構成作成端末２３から番組構成表の映像素材が削除される場合には、オンエア制御装置３５が番組構成作成端末２３からの操作入力にしたがって、削除された映像素材に対するソースの割当てと、この映像素材に連動した音声素材に対するソースの割当てとを取り消す。
【００５８】
番組構成表に割り当てられた放送用素材を削除する処理について図９を用いて説明する。番組放送システム１では、ステップＳ１１として、番組構成作成端末２３から番組構成表における映像パレット５１０の映像素材選択領域５１４に当てはめられた映像素材が削除されると、ノンリニア編集装置３２は、ステップＳ１２として映像素材が音声連動映像素材であるか否かを判別する。音声連動映像素材でない場合、すなわち単独使用が許可された音声素材である場合には、ステップＳ１３として映像パレット５１０上の映像素材のみを削除する。
【００５９】
一方、ステップＳ１２において、映像素材が音声連動映像素材であった場合には、ステップＳ１４として、映像パレット５１０上の映像素材とこの映像素材に連動した音声パレット５２０上の音声素材をともに削除する。
【００６０】
以上説明したように、番組放送システム１は、番組構成表が作成されるとき、図４に示した設定画面で入力された制御データを使用することによって、映像素材を選択する操作のみで音声チャンネルに音声素材を設定することができる。これにより、番組制作者の操作回数が減少し作業効率の向上を図ることができる。また、番組放送システム１は、番組構成表に変更が加えられ、例えば、一度選択された映像素材が削除されるときには、映像素材と音声チャンネルに設定された音声素材とが連動している場合には、映像素材を削除する操作によって音声素材も削除することができる。
【００６１】
したがって、番組放送システム１は、番組制作のための編集操作の複雑さを解消するとともに番組制作者の操作回数を減少できて、作業効率の向上を図ることができる。
【図面の簡単な説明】
【００６２】
【図１】本発明の具体例として示す番組放送システムを説明する構成図である。
【図２】上記番組放送システムにおける取材管理端末、原稿作成端末、番組構成作成端末、番組編成入力端末を説明する構成図である。
【図３】上記番組放送システムの機能構成を説明する機能構成図である。
【図４】上記番組放送システムに素材を格納する際に提示される映像音声連動設定画面を説明する概略図である。
【図５】番組構成入力端末に表示される番組構成を作成するためのＧＵＩ画面を説明する概略図である。
【図６】上記ＧＵＩ画面における映像パレットを説明する概略図である。
【図７】上記ＧＵＩ画面における音声パレットを説明する概略図である。
【図８】上記番組放送システムにおいて映像素材が選択されたとき制御データによって指定された関連素材を抽出する処理を説明するフローチャートである。
【図９】上記番組放送システムにおいて映像素材が削除されたとき制御データによって指定された関連素材をともに削除する処理を説明するフローチャートである。
【符号の説明】
【００６３】
１    番組放送システム、  ２    入力グループ、  ３    番組制作グループ、  ４    送出部、  ５    支局、  ２１    取材管理端末、  ２２    原稿作成端末、  ２３    番組構成作成端末、  ２４    番組編成入力端末、  ３１    素材サーバ、  ３２    ノンリニア編集装置、  ３３    プレイアウトサーバ、  ３４    管理サーバ、  ３５    オンエア制御装置
【図１】
2006229870.tif 000003
【図２】
2006229870.tif 000004
【図３】
2006229870.tif 000005
【図４】
2006229870.tif 000006
【図５】
2006229870.tif 000007
【図６】
2006229870.tif 000008
【図７】
2006229870.tif 000009
【図８】
2006229870.tif 000010
【図９】
2006229870.tif 000011